(57)【要約】【課題】撮影時に被写体が目を閉じることによる失敗写真の撮影を防ぐ。【解決手段】電子カメラは、被写体を撮像し、被写体を確認する際に使用される第１画像信号と、被写体を記録する際に使用される第２画像信号とを選択的に出力する撮像手段６と、第１画像信号を用いて、被写体中の人物の瞳を検出する第１瞳検出手段７２と、第１瞳検出手段７２により検出された瞳のうち、判定対象に設定された瞳が全て開いているか否かを判定する第１判定手段７２と、第１判定手段７２により、全ての瞳が開いていると判定された場合に、第２画像信号を得るための撮像を撮像手段６に指示する撮影指示手段７と、第２画像信号を用いて、被写体中の人物の瞳を検出する第２瞳検出手段７２と、第２瞳検出手段７２により検出された瞳が全て開いているか否かを判定する第２判定手段７２と、第２判定手段７２により、全ての瞳が開いていると判定された場合に、第２画像信号を記録媒体１２に記録する記録手段７とを備える。【選択図】図３
2008259024.tif 000002
【特許請求の範囲】
【請求項１】
被写体を撮像し、前記被写体を確認する際に使用される第１画像信号と、前記被写体を記録する際に使用される第２画像信号とを選択的に出力する撮像手段と、
前記第１画像信号を用いて、前記被写体中の人物の瞳を検出する第１瞳検出手段と、
前記第１瞳検出手段により検出された瞳のうち、判定対象に設定された瞳が全て開いているか否かを判定する第１判定手段と、
前記第１判定手段により、全ての瞳が開いていると判定された場合に、前記第２画像信号を得るための撮像を前記撮像手段に指示する撮影指示手段と、
前記第２画像信号を用いて、前記被写体中の人物の瞳を検出する第２瞳検出手段と、
前記第２瞳検出手段により検出された瞳が全て開いているか否かを判定する第２判定手段と、
前記第２判定手段により、全ての瞳が開いていると判定された場合に、前記第２画像信号を記録媒体に記録する記録手段とを備えることを特徴とする電子カメラ。
【請求項２】
請求項１に記載の電子カメラにおいて、
前記第１画像信号を用いて、前記被写体中の人物の顔を検出する顔検出手段をさらに備え、
前記第１判定手段は、前記顔検出手段により顔が検出された人物の瞳を判定対象に設定することを特徴とする電子カメラ。
【請求項３】
請求項１に記載の電子カメラにおいて、
前記第２判定手段により、開いていない瞳が存在すると判定された場合は、前記第２画像信号を破棄する破棄手段をさらに備えることを特徴とする電子カメラ。
【請求項４】
請求項３に記載の電子カメラにおいて、
前記破棄手段により前記第２画像信号が破棄されることを通知する通知手段をさらに備えることを特徴とする電子カメラ。
【請求項５】
請求項２乃至４のいずれか一項に記載の電子カメラにおいて、
前記顔検出手段により検出された顔のうち、前記第１判定手段による瞳判定の対象としない顔を選択する選択手段をさらに備えることを特徴とする電子カメラ。
【発明の詳細な説明】
【技術分野】
【０００１】
本発明は、瞳検出が可能な電子カメラに関する。
【背景技術】
【０００２】
従来から、撮影時に被写体の顔を認識して、認識した顔に対して自動焦点調節を行なって撮影するカメラが知られている（たとえば、特許文献１）。
【特許文献１】特開２００３−９２７００号公報
【発明の開示】
【発明が解決しようとする課題】
【０００３】
しかしながら、従来のカメラでは、撮影時に目を閉じた人物がいる場合は、失敗写真となり、再度撮影する必要がある。
【課題を解決するための手段】
【０００４】
請求項１の発明による電子カメラは、被写体を撮像し、被写体を確認する際に使用される第１画像信号と、被写体を記録する際に使用される第２画像信号とを選択的に出力する撮像手段と、第１画像信号を用いて、被写体中の人物の瞳を検出する第１瞳検出手段と、第１瞳検出手段により検出された瞳のうち、判定対象に設定された瞳が全て開いているか否かを判定する第１判定手段と、第１判定手段により、全ての瞳が開いていると判定された場合に、第２画像信号を得るための撮像を撮像手段に指示する撮影指示手段と、第２画像信号を用いて、被写体中の人物の瞳を検出する第２瞳検出手段と、第２瞳検出手段により検出された瞳が全て開いているか否かを判定する第２判定手段と、第２判定手段により、全ての瞳が開いていると判定された場合に、第２画像信号を記録媒体に記録する記録手段とを備えることを特徴とする。
請求項２の発明は、請求項１に記載の電子カメラにおいて、第１画像信号を用いて、被写体中の人物の顔を検出する顔検出手段をさらに備え、第１判定手段は、顔検出手段により顔が検出された人物の瞳を判定対象に設定することを特徴とする。
請求項３の発明は、請求項１に記載の電子カメラにおいて、第２判定手段により、開いていない瞳が存在すると判定された場合は、第２画像信号を破棄する破棄手段をさらに備えることを特徴とする。
請求項４の発明は、請求項３に記載の電子カメラにおいて、破棄手段により第２画像信号が破棄されることを通知する通知手段をさらに備えることを特徴とする。
請求項５の発明は、請求項２乃至４のいずれか一項に記載の電子カメラにおいて、顔検出手段により検出された顔のうち、第１判定手段による瞳判定の対象としない顔を選択する選択手段をさらに備えることを特徴とする。
【発明の効果】
【０００５】
本発明によれば、検出された顔であって瞳検出対象とする顔の全ての瞳が開いているときに撮影を行なうようにしたので、瞳が閉じていることに起因した撮影のやり直しを防止することができる。
【発明を実施するための最良の形態】
【０００６】
図面を用いて、本発明の一実施の形態によるカメラについて説明する。この実施の形態のカメラでは、撮影画像に基づいて顔を検出し、検出した顔に一対の瞳が検出されると撮影を自動的に行なうようにしたものである。
【０００７】
図１（ａ）に示すように、カメラ本体１には撮影レンズ２が取り付けられている。カメラ本体１の上面にはレリーズボタン３、電源スイッチ４、撮影モードの設定操作を行なうモードダイヤル５が設けられている。図１（ｂ）に示すように、カメラ本体１の背面には液晶モニタ１４が設けられている。また、液晶モニタ１４の表面には透明なタッチパネル１５が配置されている。タッチパネル１５は、後述するように、検出された顔の中からユーザが指定した顔を瞳検出対象から除外する操作を行なうための操作部材である。
【０００８】
図２は実施の形態のカメラの回路構成を示すブロック図である。デジタルカメラは、撮像素子６、制御回路７、ＳＤＲＡＭ８、フラッシュメモリ９、焦点調節装置１０、メモリカードインタフェース１１、液晶モニタ１４、およびタッチパネル１５を備える。撮像素子６は、画素に対応する複数の光電変換素子を備えたＣＣＤやＣＭＯＳイメージセンサによって構成される。撮像素子６は、撮像面上に結像されている被写体像を撮像し、被写体像の明るさに応じた光電変換信号（画像信号）を出力する。撮像素子６の撮像面には、それぞれＲ（赤）、Ｇ（緑）およびＢ（青）のカラーフィルタが画素位置に対応するように設けられている。撮像素子６がカラーフィルタを通して被写体像を撮像するため、各撮像素子から出力される画像信号は、それぞれＲＧＢ表色系の色情報を有する。
【０００９】
撮像素子６から出力された画像信号は制御回路７に入力される。制御回路７は、画像信号に対して種々の画像処理を施して画像データを生成する。そして、制御回路７は生成された画像データに対してＪＰＥＧなどの所定の方式により圧縮処理を行い、ＥＸＩＦなどの形式で記録媒体１２へ記録する。
【００１０】
制御回路７は、たとえばＲＩＳＣなどで構成され、図２に示す各回路を制御する。また、制御回路７は顔検出部７１と瞳検出部７２とを機能的に備えている。顔検出部７１は、撮像素子６から出力された画像信号に基づいて撮影画面内における人物の顔を検出する。すなわち、顔検出部７１は、画像信号に基づいて、撮影画面内の肌色の領域を抽出し、さらに、肌色領域内において、一対の目および鼻などの人物の顔を特徴付ける情報を抽出する。肌色領域内に顔特徴情報が抽出されると、その領域を顔領域として検出する。瞳検出部７２は、上記の顔領域内において、瞳を検出し、検出された瞳が一対あるか否かを判定する。一対の瞳が有ると判定されると、検出された顔の一対の瞳が開いていると認識することができる。すなわち、瞳検出部７２は、顔検出部７１で検出した顔領域内において、白色黒色のパターン認識などを用いて一人の人物に対して二つの瞳を検出（判定）する。
【００１１】
焦点調節装置１０は、撮像素子６から出力される撮像信号に基づいて周知の焦点評価値演算を行い、演算結果を制御回路７へ出力する。制御回路７は、演算結果に基づいて、焦点評価値が最大となる位置へ撮影レンズ２を移動する。なお、顔検出部７１により顔検出が行なわれた場合は、制御回路７は撮影画面上で検出された顔に対応する画像信号に基づいて焦点調節を行う。
【００１２】
ＳＤＲＡＭ８は、画像処理、画像圧縮処理および表示用画像データ作成処理の途中や処理後のデータを一時的に格納するために使用される。表示用画像データは、制御回路７が撮像素子６からの出力に基づいて生成した画像データ、もしくは記録媒体１２に記録されている画像データに基づいて、制御回路７により生成される。生成された表示用画像データは、制御回路７によりＳＤＲＡＭ８に格納される。フラッシュメモリ９は、たとえば制御回路７が演算を行なうための各種の処理プログラムが記憶された不揮発性メモリである。
【００１３】
ＬＣＤ駆動回路１３は制御回路７の命令に基づいて液晶モニタ１４を駆動し、液晶モニタ１４は画像を表示する。液晶モニタ１４に表示される画像において、前述した顔検出部７１により被写体の顔が検出されている場合は、その顔の周囲に顔検出が行われたことを示す矩形枠が表示される。また、液晶モニタ１４は、デジタルカメラの各種設定メニュー画面の表示を行なう。
【００１４】
タッチパネル１５は、ユーザの指などによりタッチされると、タッチ位置を撮影画面における二次元座標で座標化したタッチ位置信号を制御回路７へ出力する。後述するように、液晶モニタ１４にスルー画として表示されている人物の顔をタッチして指定すると、この人物は、たとえ顔検出されても瞳検出対象から除外される。したがって、以下で説明するように、タッチパネル１５により瞳検出対象除外操作が行なわれていない場合は、検出された全ての顔に対して瞳検出処理を実行する。タッチパネル１５により瞳検出対象除外操作が行なわれている場合は、検出された顔であっても瞳検出対象除外指定された顔の瞳検出は行なわない。
【００１５】
次に、カメラの撮影動作について説明する。ユーザが電源スイッチ４を操作することにより電源がオンとなり、かつモードダイヤル５により撮影モードに切換えられると、制御回路７は撮影モードを設定する。制御回路７は、撮像素子６およびＬＣＤ駆動回路１３を制御することにより、たとえば１／３０秒の周期で液晶モニタ１４に表示される画像を更新する。すなわち、液晶モニタ１４には、被写体の動画像がスルー画として表示される。
【００１６】
スルー画表示中にユーザがレリーズボタン３を半押しして半押しスイッチ３ａがオンすると、撮影準備が指示される。撮影準備指示に応じて、顔検出部７１は、撮像素子６から入力した画像信号を用いて、上述したようにして顔検出処理を実行して人物の顔を検出する。人物の顔が検出されると、顔検出部７１は検出した人物の顔の中心位置を特定し、制御回路７はその位置を中心とする矩形枠を液晶モニタ１４に表示する。その結果、液晶モニタ１４には、検出された人物の顔が枠で囲われて表示される。複数の顔が検出されると、検出された各顔に矩形枠が重ねて表示される。
【００１７】
顔検出部７１により顔が検出されると、瞳検出部７２は、検出された顔に対して、上述したパターン認識などの方法により一対の瞳の有無を検出する。複数の顔を検出している場合、瞳検出部７２は、瞳検出対象除外操作されていなければ、検出された全ての人物の顔それぞれに対して一対の瞳の有無を検出する。瞳検出対象除外操作されている場合、瞳検出部７２は、瞳検出対象除外指定された顔以外の検出された全ての顔に対して一対の瞳の有無を検出する。そして、瞳検出対象の顔について全ての瞳が開いていることを認識すると、制御回路７は各部に撮影を指示する。その結果、ユーザがレリーズボタン３を全押ししなくても、自動的に撮影が行なわれる。この自動撮影により取得された画像データは、制御回路７によりＳＤＲＡＭ８に格納される。なお、瞳検出対象から除外された人物がいる場合には、その人物の顔の中心位置を示す位置座標が除外情報として画像データの所定の記録領域に記録される。
【００１８】
検出した顔について一対の瞳が検出できない場合、制御回路７は、その顔が瞳検出対象から除外された顔であるか否かを判定する。瞳検出対象から除外された顔である場合、除外された顔以外の検出された全ての顔に対してそれぞれ一対の瞳が検出されると、制御回路７は、上述したように各部に撮影を指示する。瞳検出対象除外操作は、上述したように、ユーザがタッチパネル１５をタッチすることにより行なわれる。
【００１９】
瞳検出対象除外操作について簡単に説明する。液晶モニタ１４に表示中のスルー画において、ユーザが人物の顔をタッチすると、タッチパネル１５は制御回路７にタッチ位置信号を出力する。タッチ位置信号を入力すると、瞳検出部７２は、タッチ位置信号で示される位置に存在する顔を瞳検出対象から除外する。すなわち、タッチパネル１５で選択、指定された人物の顔に対して、瞳検出部７２は瞳検出処理を実行しない。
【００２０】
瞳検出対象から除外する人物が選択されていない場合は、瞳検出部７２は所定の時間が経過するまで瞳検出を継続する。所定時間が経過しても全ての人物の瞳を検出できない場合は、制御回路７は液晶モニタ１４に、たとえば「瞳を検出できません」等のエラー表示を行なう。
【００２１】
瞳検出処理に基づいた自動撮影が行なわれた後、制御回路７はＳＤＲＡＭ８に格納された画像データを読み出す。そして、瞳検出部７２は、読み出した画像データを用いて、上述と同様にして瞳検出処理を実行する。瞳検出部７２により瞳検出対象である全ての顔の瞳が開いていると判定されると、制御回路７は取得した画像データを記録媒体１２へ記録する。なお、制御回路７は、画像データを記録する際に、液晶モニタ１４に、たとえば「画像を記録します」などの表示を行ない、ユーザに自動撮影により取得した画像を記録することを通知する。
【００２２】
瞳検出部７２により瞳検出対象である人物の瞳が検出されない場合は、制御回路７は液晶モニタ１４に、たとえば「瞳が認識できません」などのエラー表示を行ない、ユーザに自動撮影により取得した画像を破棄することを通知した後、自動撮影により取得した画像データを破棄する。
【００２３】
図３に示すフローチャートを用いて、実施の形態によるデジタルカメラの撮影動作を説明する。図３の各処理手順は制御回路７でプログラムを実行して行なわれる。図３の各処理を行なうプログラムはメモリ（不図示）に格納されており、電源スイッチ４からオン信号が入力されると起動される。
【００２４】
ステップＳ１０１においては、レリーズボタン３が半押し操作されたか否かを判定する。半押しスイッチ３ａからオン信号を入力した場合は、ステップＳ１０１が肯定判定されてステップＳ１０２へ進む。半押しスイッチ３ａからオン信号を入力しない場合は、ステップＳ１０１が否定判定されて、半押し信号が入力されるまでステップＳ１０１で待機する。
【００２５】
ステップＳ１０２においては、顔検出を行なってステップＳ１０３へ進む。ステップＳ１０３においては、ステップＳ１０２において顔検出が行なわれたか否かを判定する。顔検出部７１で顔検出が行なわれた場合は、ステップＳ１０３が肯定判定されてステップＳ１０４へ進む。ステップＳ１０４においては、検出された顔に対して瞳検出部７２が瞳検出処理を実行してステップＳ１０５へ進む。
【００２６】
ステップＳ１０５においては瞳判定処理を実行する。すなわち、ステップＳ１０４で行なった瞳検出処理結果に基づいて検出された顔に一対の瞳が検出されているか否かを判定する。ステップＳ１０５が肯定されるとステップＳ１０７へ進む。ステップＳ１０７においては、検出された全ての顔のそれぞれについて瞳検出処理と瞳判定処理が実行され、検出された全ての顔にそれぞれ一対の瞳が検出されたか否かを判定する。顔検出処理により複数の顔が検出されている場合、ステップＳ１０７が否定されてステップＳ１０４，ステップＳ１０５を繰り返し実行する。検出された全ての顔に対して一対の瞳が開いていると判定されると、ステップＳ１０７が肯定判定されてステップＳ１０８へ進む。ステップＳ１０５の瞳判定処理において、瞳が開いていない人物がいると判定されると、ステップＳ１０５が否定判定されてステップＳ１０６へ進む。
【００２７】
ステップＳ１０８においては、自動撮影処理を行なう。すなわち、ステップＳ１０２において検出された顔が１つの場合は、その顔を含む所定領域内の画像に基づいて焦点調節演算を行なって検出された顔に合焦するように焦点調節用レンズを駆動し、撮像素子６に対して撮影を指示する。ステップＳ１０２において検出された顔が複数ある場合には、最も至近の顔を主要被写体とし、その顔を含む所定領域内の画像に基づいて焦点調節演算を行なって焦点調節用レンズを駆動し、撮像素子６に対して撮影を指示する。そして、撮像素子６から出力された画像信号に対して画像処理を施して生成した画像データをＳＤＲＡＭ８に一時記憶してステップＳ１０９へ進む。なお、ステップＳ１０６において瞳検出対象から除外された人物に関しては、上述した除外情報を画像データの所定の記録領域に記録する。
【００２８】
ステップＳ１０９においては、ステップＳ１０８で取得してＳＤＲＡＭ８に一時記憶されている画像データに基づいて、対象とする顔に一対の瞳が検出されているか判定する。この実施の形態では、ステップＳ１０２で検出された顔の全てに対して瞳検出を行なう場合と、検出された顔を瞳検出対象から除外する場合がある。したがって、ステップＳ１０９における処理対象の顔は、検出された全ての顔、もしくは、検出された全ての顔から瞳検出対象除外指定された顔以外の全ての顔である。
【００２９】
ステップＳ１０９が肯定判定されてステップＳ１１０へ進むと、液晶モニタ１４に、たとえば、「画像を記録します」などの通知をしてステップＳ１１１へ進む。ステップＳ１１１においては、取得した画像データを圧縮処理した後、記録媒体１２に記録して一連の処理を終了する。
【００３０】
ステップＳ１０９において、撮像した画像に対する画像処理によって、一対の瞳を検出できない顔があると判定された場合は、ステップＳ１０９が否定判定されてステップＳ１１２へ進む。ステップＳ１１２においては、液晶モニタ１４に、たとえば「瞳を認識できません」などのエラー表示を行ないステップＳ１１３へ進む。ステップＳ１１３においては、ステップＳ１０８で取得した画像データを破棄して一連の処理を終了する。
【００３１】
検出された顔の中に一対の瞳が検出されない顔がある場合、ステップＳ１０５が否定判定されてステップＳ１０６へ進む。ステップＳ１０６においては、一対の瞳が検出されない顔が、予めユーザが瞳検出対象から除外した人物の顔であるか否かを判定する。タッチパネル１０５により瞳検出対象外に指定された顔であると判定されれば、ステップＳ１０６が肯定判定されてステップＳ１０７へ進む。
【００３２】
一方、ステップＳ１０６において、瞳検出対象から除外した人物ではないと判定されると、すなわちタッチパネル１５により対象除外操作をしていない場合は、ステップＳ１０６が否定判定されて、不図示のタイマを起動して時間計測を開始してからステップＳ１１４へ進む。ステップＳ１１４においては、ステップＳ１０６でタイマを起動してから所定時間が経過したか否かを判定する。所定時間が経過した場合は、ステップＳ１１４が肯定判定されてステップＳ１１５へ進む。ステップＳ１１５においては、液晶モニタ１４に「瞳を検出できません」などのエラー表示を行なった後、一連の処理を終了する。所定時間が経過していない場合は、ステップＳ１１４が否定判定されてステップＳ１０４へ戻る。
【００３３】
ステップＳ１０２における顔検出処理により顔が検出できない場合は、ステップＳ１０３が否定判定されてステップＳ１１６へ進む。ステップＳ１１６においては、レリーズボタン３が全押し操作されたか否かを判定する。全押しスイッチ３ｂからオン信号を入力した場合は、ステップＳ１１６が肯定判定されてステップＳ１１７へ進む。全押しスイッチ３ｂからオン信号を入力しない場合は、ステップＳ１１６が否定判定されて、ステップＳ１１６で待機する。
【００３４】
ステップＳ１１７においては、撮像素子６から出力された画像信号を取り込み、この画像信号に対して画像処理を施して生成した画像データを取得してステップＳ１１８へ進む。ステップＳ１１８においては、ステップＳ１１７で取得した画像データを圧縮処理した後、記録媒体１２に記録して一連の処理を終了する。
【００３５】
以上で説明した実施の形態によるデジタルカメラによれば、以下の作用効果が得られる。
（１）レリーズボタン３の半押し操作に応じて取得した画像データを用いて、顔検出部７１が顔検出を行ない、検出された顔領域に対して瞳検出部７２が一対の瞳の有無を検出する。そして、瞳検出対象の顔について全ての瞳が開いていることが瞳検出部７２で検出されると、制御回路７は自動撮影により画像を取得するようにした。したがって、瞳検出対象の人物が瞬きをしている場合は撮影を行なわないので、失敗した写真による撮り直しが防止できる。
【００３６】
（２）自動撮影により取得された画像データに対して再度、瞳検出部７２は瞳検出対象の顔の瞳が開いているか否かを検出するようにした。したがって、たとえば半押し中のスルー画像では全ての瞳が開いていると判定されて自動撮影された場合であっても、不図示の閃光装置の発光により瞳をつむってしまった被写体がいることを把握でき、これに基づいて、瞳が全て開いている理想的な写真を得る種々の後続処理を行なうことができる。
【００３７】
（３）自動撮影により取得された画像データを用いて、瞳検出部７２により瞳検出対象の顔の瞳が全て開いていることが認識された場合に、制御回路７は取得した画像データを記録媒体１２に記録する。一方、瞳が開いていることを検出できない顔がある場合には、取得した画像データを破棄するようにした。したがって、失敗写真を記録することがないので、記録媒体１２の容量を確保することができる。
【００３８】
（４）上記（３）において、取得した画像データを破棄する際には、制御回路７は液晶モニタ１４にエラー表示をして、画像を破棄することをユーザに通知するようにした。したがって、たとえば半押し中のスルー画では全ての瞳が開いていると判定されて自動撮影された場合であっても、不図示の閃光装置の発光により被写体が目を閉じた場合などはエラー警告される。その結果、ユーザが直ぐに撮影をやり直すことができ、再生画像でユーザが確認して再度、撮影をし直す必要がない。
【００３９】
（５）顔検出により検出された人物の中から、ユーザがタッチパネル１５で指定した人物を瞳検出対象から除外するようにした。したがって、たとえばサングラス等を装着した人物などのように瞳の検出が不可能な被写体を予め除外しておくことができ、瞳検出部７２は効率よく瞳検出処理を実行することができる。また、被写体が瞳検出対象から除外されていても、顔検出部７１により検出されている顔に合焦するので、ピントの合っていない失敗写真となることを防ぐことができる。
【００４０】
以上で説明した実施の形態によるデジタルカメラを以下のように変形できる。
（１）自動撮影後の画像に対して全ての瞳が開いていることを瞳検出部７２により自動判定したが、ユーザが確認するものでもよい。たとえば、撮影後の所定時間、液晶モニタ１４にフリーズ画を表示し、その画面上で瞳検出対象を除外する顔を指定してもよい。この場合、フリーズ画上で瞳検出対象から除外指定されていない人物の顔に対して全ての瞳が開いていることが判定されると、制御回路７は取得した画像データを記録すればよい。
【００４１】
（２）タッチパネル１５を用いて瞳検出対象除外操作を行なうようにしたが、十字キーなどの操作部材を用いて選択してもよい。
【００４２】
（３）自動撮影後に画像データに基づいて瞳検出処理を行なう際、本画像データ、サムネイル画像データ、および表示用中間画像データのいずれを用いて瞳検出処理を行なってもよい。サムネイル画像データや表示用中間画像データを用いる場合、本画像データよりも画素数が少ないので、瞳検出処理に要する時間を短縮することができる。
【００４３】
（４）レンズ一体型カメラとして説明したが、電子ビューファインダを搭載したスルー画表示が可能なレンズ交換式の一眼レフカメラであってもよい。
【００４４】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００４５】
【図１】本発明の実施の形態によるデジタルカメラの外観図であり、（ａ）は正面斜視図、（ｂ）は背面斜視図である。
【図２】実施の形態によるデジタルカメラの要部構成を示すブロック図である。
【図３】実施の形態によるデジタルカメラの動作を説明するフローチャートである。
【符号の説明】
【００４６】
６      撮像素子        ７      制御回路
７１    顔検出部        ７２    瞳検出部
１２    記録媒体        １４    液晶モニタ
１５    タッチパネル
【図１】
2008259024.tif 000003
【図２】
2008259024.tif 000004
【図３】
2008259024.tif 000005